(57)【特許請求の範囲】
【請求項１】
圃場を進行可能な走行機体と、該走行機体に配備され、圃場土を掘り取って走行機体の方向に回転移送可能な螺旋状の掘取羽根体をもつ回転溝掘体とを備えてなり、上記掘取羽根体に圃場土を削土可能な複数個の刃部を設け、上記回転溝掘体に該回転溝掘体により堀取られた圃場土を走行機体の方向に回転移送可能な螺旋状の均し羽根体をもつ回転均し体を設け、上記回転溝掘体による圃場土の回転移送により生ずる反力を受ける反力受部材を設け、かつ、上記回転溝掘体に圃場土を溝切可能な溝切体を掘取溝の外方の内側面対向位置に設け、該溝切体の外周面に複数個の刃部を形成してなることを特徴とする圃場溝掘機。
【発明の詳細な説明】
【技術分野】
【０００１】
本発明は例えば水田等の圃場に水はけ用の溝を形成する際に用いられる圃場溝掘機に関するものである。
【背景技術】
【０００２】
従来、この種の圃場溝掘機として、例えば、走行機体に連結機構により機枠を連結し、機枠に圃場面に溝切り可能な溝切体を設け、溝切体の後方に圃場土を掬い取って側方に排出可能なすき部材を設けてなる構造のものが知られている。
【特許文献１】特開平５−１６１４０３号公報
【発明の開示】
【発明が解決しようとする課題】
【０００３】
しかしながら上記従来構造の場合、圃場面に溝切体により溝切りし、溝切りされた圃場土をすき部材により掬い取って側方に排出する構造から大きな牽引力が必要になると共に大型化、重量化及び構造の複雑化が生ずることがあるという不都合を有している。
【課題を解決するための手段】
【０００４】
本発明はこれらの不都合を解決することを目的とするもので、本発明のうちで、請求項１記載の発明は、圃場を進行可能な走行機体と、該走行機体に配備され、圃場土を掘り取って走行機体の方向に回転移送可能な螺旋状の掘取羽根体をもつ回転溝掘体とを備えてなり、上記掘取羽根体に圃場土を削土可能な複数個の刃部を設け、上記回転溝掘体に該回転溝掘体により堀取られた圃場土を走行機体の方向に回転移送可能な螺旋状の均し羽根体をもつ回転均し体を設け、上記回転溝掘体による圃場土の回転移送により生ずる反力を受ける反力受部材を設け、かつ、上記回転溝掘体に圃場土を溝切可能な溝切体を掘取溝の外方の内側面対向位置に設け、該溝切体の外周面に複数個の刃部を形成してなることを特徴とする圃場溝掘機。にある。
【発明の効果】
【０００５】
本発明は上述の如く、請求項１記載の発明にあっては、走行機体を走行すると、回転溝掘体は螺旋状の掘取羽根体により圃場土を堀取って走行機体の方向に回転移送し、この掘取回転により圃場に掘取溝を形成することができ、したがって、回転溝堀体を回転させて走行機体を走行することにより溝掘作業を行うことができ、溝掘作業性を高めることができると共に構造を簡素化することができ、軽量化、小型化を図ることができ、製造コストを低減することもでき、上記掘取羽根体に圃場土を削土可能な複数個の刃部を設けているから、掘取回転体の回転により圃場土を刃部により削土することができ、螺旋状の掘取羽根体により良好に掘取って円滑に回転移送することができ、上記回転溝掘体に回転溝掘体により堀取られた圃場土を走行機体の方向に回転移送可能な螺旋状の均し羽根体をもつ回転均し体を設けているから、回転溝掘体により堀取られた圃場土を走行機体の方向に回転移送して掘取溝近傍の圃場土を均すことができ、圃場内の水を掘取溝内へ良好に流入させる掘取溝を得ることができ、上記回転溝掘体による圃場土の回転移送により生ずる反力を受ける反力受部材を設けてなるから、回転溝掘体の堀取羽根体により確実に回転移送することができ、上記回転溝掘体に圃場土を溝切可能な溝切体を掘取溝の外方の内側面対向位置に設け、溝切体の外周面に複数個の刃部を形成してなるから、溝切体により圃場土を確実に走行機体の方向に移送することができ、堀取溝近傍の圃場土の盛土を抑制することができる。
【発明を実施するための最良の形態】
【０００６】
図１乃至図７は本発明の実施の形態例を示し、１は走行機体であって、この場合トラクタが用いられ、走行機体１の後部に三点リンク式の連結機構２により機枠３を上下動可能に連結して構成している。
【０００７】
４は回転溝掘体であって、上記機枠３に設けられ、この回転溝掘体４は圃場土Ｔを掘り取って走行機体１の方向に回転移送可能な螺旋状の掘取羽根体４ａを胴部４ｃに突出して形成されている。
【０００８】
５は回転均し体であって、上記回転溝掘体４に一体に設けられ、回転溝掘体４により堀取られた圃場土Ｔを走行機体１の方向に回転移送可能な螺旋状の均し羽根体５ａが回転溝掘体４の胴部４ｃに突出形成されている。
【０００９】
６は位置変更機構であって、図２、図７の如く、上記回転溝掘体４をその回転軸線Ｌが走行機体１の進行方向に直交する方向となる作業位置Ｓ及び非作業位置Ｈに位置変更可能に設けられている。
【００１０】
７はクラッチ機構であって、上記位置変更機構６による上記回転溝掘体４の位置変更に伴って上記上記回転溝掘体４に至る動力伝導系統を上記作業位置Ｓで接続すると共に上記非作業位置Ｈで切離可能に構成されている。
【００１１】
この場合、図５、図６の如く、上記掘取羽根体４ａの外周に圃場土Ｔを削土可能な複数個の刃部４ｂ・４ｂを複数個設けてなり、又、この場合、図５の如く、上記回転溝掘体４の回転方向を上記走行機体１の進行方向Ｑ前方位置に圃場土Ｔを跳ね上げる上向き回転方向Ｒに設定している。
【００１２】
この場合、上記回転溝掘体４の掘取羽根体４ａは上記上向き回転方向Ｒの回転により圃場土Ｔを走行機体１の方向に回転移送可能な螺旋状に形成され、かつ、上記回転溝掘体４に圃場土Ｔを溝切可能な溝切体８を掘取溝Ｇの外方の内側面対向位置に設け、溝切体８の外周面に複数個の刃部８ａを形成してなる。
【００１３】
９は動力伝導機構であって、この場合、図３の如く、上記機枠３に歯車機構１０ａを内蔵した歯車ボックス１０を設け、上記走行機体１の動力取出軸１ａと歯車ボックス１０の入力軸１０ｂとを自在継手９ａにより連結し、機枠３に突片３ａを形成し、突片３ａに位置変更機構６としての支点縦軸６ａを縦設すると共に差込ピン６ｂが挿通される差込孔３ｂを形成すると共に突片３ａに位置決め穴３ｃを形成し、かつ、歯車ボックス１０に突設した出力軸１０ｃの端部にクラッチ機構７のクラッチ爪７ａを形成し、一方、対土機枠１１に駆動軸１２を横設し、駆動軸１２の基端部にクラッチ機構７としてのクラッチ爪７ａに接離可能なクラッチ爪７ｂを形成し、対土機枠１１に突片１１ａを形成し、突片１１ａを支点縦軸６ａに枢着すると共に突片１１ａに差込ピン６ｂが挿通される差込孔１１ｂを形成すると共に突片１１ａに位置決め穴１１ｃを形成し、差込孔１１ｂ及び位置決め穴１１ｃに挿通可能な差込ピン６ｃを設けて構成している。
【００１４】
しかして、走行機体１の動力取出軸１ａにより歯車ボックス１０を介して駆動軸１２が回転し、駆動軸１２により回転溝掘体４は走行機体１の進行方向Ｑ前方位置に圃場土Ｔを跳ね上げる上向き回転方向Ｒに回転することになる。
【００１５】
又、この場合、図２の作業位置Ｓにおいて、位置変更機構６の差込ピン６ｂを差込孔３ｂ・１１ｂから抜き取り、上記回転溝掘体４を支点縦軸６ａを中心として作業位置Ｓから図７の非作業位置Ｈに水平旋回させ、差込ピン６ｃを位置決め穴３ｃ・１１ｃに挿通し、回転溝掘体４を非作業位置Ｈに固定することになる。
【００１６】
１３は反力受部材であって、機枠３に設けられ、圃場Ｍ内に穿入し、機枠３及び回転溝掘体４の安定進行を期するものである。
【００１７】
この実施の形態例は上記構成であるから、図２の如く、上記回転溝掘体４をその回転軸線Ｌが走行機体１の進行方向に直交する方向となる作業位置Ｓに配置し、走行機体１を走行すると、動力取出軸１ａにより回転溝掘体４が回転し、回転溝掘体４は螺旋状の掘取羽根体４ａにより圃場土Ｔを堀取って走行機体１の方向に回転移送し、この掘取回転により圃場に掘取溝Ｇを形成することができ、したがって、回転溝堀体４を回転させて走行機体１を走行することにより溝掘作業を行うことができ、溝掘作業性を高めることができると共に構造を簡素化することができ、軽量化、小型化を図ることができ、製造コストを低減することもできる。
【００１８】
この場合、上記回転溝掘体４に回転溝掘体４により堀取られた圃場土Ｔを走行機体１の方向に回転移送可能な螺旋状の均し羽根体５ａをもつ回転均し体５を設けているから、回転溝掘体４により堀取られた圃場土Ｔを走行機体１の方向に回転移送して掘取溝Ｇ近傍の圃場土を均すことができ、圃場内の水を掘取溝Ｇ内へ良好に流入させる掘取溝を得ることができ、又、この場合、上記回転溝掘体４の回転方向を上記走行機体１の進行方向前方位置に圃場土Ｔを跳ね上げる上向き回転方向Ｒに設定してなるから、回転溝掘体４の回転により跳ね上げられた土は再度、回転溝掘体４により堀取られて回転移送されることになり、溝堀効率を高めることができ、又、この場合、上記掘取羽根体４ａに圃場土Ｔを削土可能な複数個の刃部４ｂを設けてなるから、掘取回転体４の回転により圃場土Ｔを刃部４ｂにより削土することができ、螺旋状の掘取羽根体４ａにより良好に掘取って円滑に回転移送することができる。
【００１９】
又、この場合、上記回転溝掘体４に圃場土Ｔを溝切可能な溝切体８を掘取溝Ｇの外方の内側面対向位置に設け、溝切体８の外周面に複数個の刃部８ａを形成してなるから、溝切体８により圃場土Ｔを確実に走行機体１の方向に移送することができ、堀取溝Ｇ近傍の圃場土Ｔの盛土を抑制することができ、又、この場合、上記回転溝掘体４による圃場土Ｔの回転移送により生ずる反力を受ける反力受部材１３を設けてなるから、回転溝掘体４の堀取羽根体４ａにより確実に回転移送することができ、又、この場合、上記回転溝掘体４を作業位置Ｓ及び非作業位置Ｈに位置変更可能な位置変更機構６を備えてなるから、図７の如く、非作業時において、回転溝掘体４を非作業位置Ｈに配置することにより圃場に対する搬入、搬出及び運搬を容易に行うことができ、又、この場合、上記位置変更に伴って該回転溝掘体４に至る動力伝導系統を上記作業位置Ｓで接続すると共に上記非作業位置Ｈで切離可能なクラッチ機構７を備えてなるから、クラッチ機構７の入り切りを自動的に行うことができ、使用の利便性を高めることができる。
【００２０】
尚、本発明は上記実施の形態例に限られるものではなく、回転溝掘体４、掘取羽根体４ａ、回転均し体５、均し羽根体５ａ、位置変更機構６、クラッチ機構７の構造や形態、大きさ等は適宜変更して設計されるものである。例えば、上記形態例の掘取羽根体４ａは螺旋状に連続する板面となっているが、複数個のナタ刃状の羽根板が螺旋状に断続的に設けられた構造とすることもできる。
【００２１】
以上、所期の目的を充分達成することができる。
【図面の簡単な説明】
【００２２】
【図１】本発明の実施の形態例の全体側面図である。
【図２】本発明の実施の形態例の全体平面図である。
【図３】本発明の実施の形態例の部分側面図である。
【図４】本発明の実施の形態例の部分後面図である。
【図５】本発明の実施の形態例の部分側面図である。
【図６】本発明の実施の形態例の部分側断面図である。
【図７】本発明の実施の形態例の全体平面図である。
【符号の説明】
【００２３】
Ｍ    圃場
Ｔ    圃場土
Ｓ    作業位置
Ｈ    非作業位置
Ｑ    進行方向
Ｒ    上向き回転方向
Ｇ    掘取溝
１    走行機体
３    機枠
４    回転溝掘体
４ａ    掘取羽根体
４ｂ    刃部
５    回転均し体
５ａ    均し羽根体
６    位置変更機構
７    クラッチ機構
８    溝切体
８ａ    刃部
１３    反力受部材
１４    安定部材
【図１】
0004753110.tif 000002
【図２】
0004753110.tif 000003
【図３】
0004753110.tif 000004
【図４】
0004753110.tif 000005
【図５】
0004753110.tif 000006
【図６】
0004753110.tif 000007
【図７】
0004753110.tif 000008